(57)【特許請求の範囲】
【請求項１】
玉またはメダルの貸出し用に使用された貨幣およびカードの少なくとも一方を収納する収納ユニットを有する貸出機であって、
前面パネルに形成された開口部から突出入可能に前記収納ユニットを支持する支持部と、当該貸出機内部に位置している前記収納ユニットを前記開口部から突出させる駆動機構と、当該駆動機構による前記開口部からの前記収納ユニットの突出を規制する突出規制機構と、解除信号を受信したときに制御信号を前記突出規制機構に出力する制御部とを備えており、
前記突出規制機構は、前記収納ユニットに回動自在に取り付けられ且つ常時開放する方向に付勢された開閉扉と、前記開閉扉における自由端側に配設されたフック片を前記支持部に配設された係止突起に対して係止するラッチ部とを有し、
前記突出規制機構において、前記収納ユニットが前記貸出機内部に位置しているとき、前記開閉扉の前記フック片が前記支持部の前記係止突起に係止されることにより、前記開閉扉が前記前面パネルの前記開口部を閉塞した状態に維持されると共に、前記制御部からの前記制御信号が入力されたとき、前記開閉扉の前記フック片と前記支持部の前記係止突起との係止状態が解除されることにより、前記開閉扉が自動的に開放されると共に、当該収納ユニットが前記開口部から突出する貸出機。
【請求項２】
前記駆動機構は、前記前面パネルから突出する方向に前記収納ユニットを常時付勢する付勢手段で構成されている請求項１に記載の貸出機。
【請求項３】
前記支持部は、前記収納ユニットを前記前面パネルから突出する方向に沿って支持するローラを備え、
前記支持部と前記収納ユニットとの間には、前記ローラによって支持された前記収納ユニットの前部が前記前面パネルから突出する突出位置を越えての移動を阻止する抜け止め機構が配設されており、
前記収納ユニットは、その前面が開口する箱体に形成されている請求項１または２に記載の貸出機。
【請求項４】
請求項１〜３のいずれか１に記載の貸出機を複数備えて構成された貸出機システムであって、
解除操作に基づいて解除信号を前記貸出機に送信する統括制御部を備えている貸出機システム。
【発明の詳細な説明】
【０００１】
【発明の属する技術分野】
本発明は、玉またはメダルの貸出し用に使用された貨幣およびカードの少なくとも一方を収納する収納ユニットを備えた貸出機、およびその貸出機を複数備えて構成された貸出機システムに関するものである。
【０００２】
【従来の技術】
パチンコ機やスロットル機などの遊技機には、挿入された貨幣（一般には紙幣）の金額または挿入された磁気カード等の記憶媒体（以下、「カード」ともいう）の残り度数に応じて、パチンコ玉（以下、「玉」ともいう）を貸し出す玉貸出機や、スロットル機用のメダルを貸し出すメダル貸出機（以下、両者を区別しないときには「貸出機」ともいう）が並設されている。この種の紙幣を使用して玉を貸し出す貸出機として、図７に示す貸出機５１が従来から知られている。この貸出機５１では、投入口１１から貨幣ＣＲが投入された際に、処理部１２が紙幣ＣＲの金種を判別すると共に判別結果（金種）を制御部（図示せず）に出力する。この際に、制御部は、この判別結果に基づいて貸し出す玉の数を算出して、算出した数の玉を供給部に指示して玉を貸し出させる。また、処理部１２は、図７に示すように、投入された紙幣を例えばその下方に配置された収納ユニット５５内に順次収納する。この場合、収納ユニット５５は、貸出機５１内に配設された収容部５６内にスライド自在に装着されている。言い換えれば、収納ユニット５５は、収容部５６によってスライド自在に支持されている。
【０００３】
一方、収納ユニット５５に収納された紙幣ＣＲを回収する場合、店員が、店内を巡回して、各貸出機５１から紙幣ＣＲを回収する。具体的には、店員は、まず、各貸出機５１の前面パネル５１ａに設けられた鍵穴５７に鍵（図示せず）を差し込んで解錠する。次いで、図８に示すように、それぞれの前面パネル５１ａに設けられた開閉扉５８を手で開け、さらに各収納ユニット５５の前面に形成された引出し用把手５５ａを掴んで収納ユニット５５を前面パネル５１ａの前方に引き出し、その後に、収納ユニット５５内の紙幣ＣＲを取り出している。
【０００４】
【発明が解決しようとする課題】
ところが、この従来の貸出機５１には、以下の問題点がある。すなわち、この貸出機５１では、紙幣ＣＲを回収する場合、鍵を使って解錠して開閉扉５８を開け、その上、引出し用把手５５ａを掴んで収納ユニット５５を引き出して紙幣を回収するという非常に手間のかかる回収作業を各貸出機５１毎に行う必要がある。この場合、店内には、数多くの遊技機毎に貸出機５１がそれぞれ設置されている。したがって、この従来の貸出機５１には、数多くの貸出機５１毎にこの回収作業を行わなければならないことに起因して、紙幣の回収に非常に長時間を要するという問題点がある。また、この点に関して、カード（貨幣およびカードを総称して「紙幣等」ともいう）を使用して玉やメダルを貸し出す貸出機についても同じ問題点が存在する。
【０００５】
本発明は、かかる問題点に鑑みてなされたものであり、紙幣等の回収時間を短縮し得る貸出機および貸出機システムを提供することを主目的とする。
【０００６】
【課題を解決するための手段】
上記目的を達成すべく請求項１記載の貸出機は、玉またはメダルの貸出し用に使用された貨幣およびカードの少なくとも一方を収納する収納ユニットを有する貸出機であって、前面パネルに形成された開口部から突出入可能に前記収納ユニットを支持する支持部と、当該貸出機内部に位置している前記収納ユニットを前記開口部から突出させる駆動機構と、当該駆動機構による前記開口部からの前記収納ユニットの突出を規制する突出規制機構と、解除信号を受信したときに制御信号を前記突出規制機構に出力する制御部とを備えており、前記突出規制機構は、前記収納ユニットに回動自在に取り付けられ且つ常時開放する方向に付勢された開閉扉と、前記開閉扉における自由端側に配設されたフック片を前記支持部に配設された係止突起に対して係止するラッチ部とを有し、前記突出規制機構において、前記収納ユニットが前記貸出機内部に位置しているとき、前記開閉扉の前記フック片が前記支持部の前記係止突起に係止されることにより、前記開閉扉が前記前面パネルの前記開口部を閉塞した状態に維持されると共に、前記制御部からの前記制御信号が入力されたとき、前記開閉扉の前記フック片と前記支持部の前記係止突起との係止状態が解除されることにより、前記開閉扉が自動的に開放されると共に、当該収納ユニットが前記開口部から突出する。
【０００８】
さらに、請求項２記載の貸出機は、請求項１に記載の貸出機において、前記駆動機構は、前記前面パネルから突出する方向に前記収納ユニットを常時付勢する付勢手段で構成されている。
【０００９】
また、請求項３記載の貸出機は、請求項１または２に記載の貸出機において、前記支持部は、前記収納ユニットを前記前面パネルから突出する方向に沿って支持するローラを備え、前記支持部と前記収納ユニットとの間には、前記ローラによって支持された前記収納ユニットの前部が前記前面パネルから突出する突出位置を越えての移動を阻止する抜け止め機構が配設されており、前記収納ユニットは、その前面が開口する箱体に形成されている。
更に、請求項４記載の貸出機システムは、請求項１〜３のいずれか１に記載の貸出機を複数備えて構成された貸出機システムであって、解除操作に基づいて解除信号を前記貸出機に送信する統括制御部を備えている。
【００１０】
【発明の実施の形態】
以下、添付図面を参照して、本発明に係る貸出機および貸出機システムの好適な実施の形態について説明する。なお、一例としてパチンコ機に並設される紙幣用の玉貸出機システムを例に挙げて説明する。
【００１１】
最初に、玉貸出機システム１の構成について、図面を参照して説明する。
【００１２】
玉貸出機システム１は、図１に示すように、複数の玉貸出機２，２，・・・、および統括制御部３を備えている。
【００１３】
各玉貸出機２，２，・・・は、図２に示すように、投入口１１、処理部１２、収納ユニット１３、支持部としての収容部１４、駆動機構１５、突出規制機構１６、および制御部１７をそれぞれ備えている。この場合、投入口１１は、紙幣ＣＲの投入が可能に、玉貸出機２の前面パネル２ａに開口して形成されている。処理部１２は、玉貸出機２の内部に配設されると共に投入口１１に投入された紙幣ＣＲを取り込み、その金種を判別して判別データＤｄとして制御部１７に出力する。また、処理部１２は、金種が確認された紙幣を下方の収納ユニット１３に排出する。収納ユニット１３は、玉貸出機２内部における処理部１２の下方に、収容部１４に支持（収容）された状態で配設されている。収納ユニット１３および収容部１４は、それぞれ上面および前面（前面パネル２ａ側の面）が開口する箱体に形成されている。このため、処理部１２によって排出された紙幣ＣＲは、収容部１４および収納ユニット１３の各上面開口部分を通して収納ユニット１３内に順次収納される。また、収容部１４の内部底面には、収容した収納ユニット１３を玉貸出機２の奥行き方向（図２中の左右方向）に沿ってスライド自在に支持するためのローラ１８，１８が配設されている。また、収容部１４は、その前面開口部分が前面パネル２ａに開口可能に構成されている。具体的には、前面パネル２ａに開口された収納ユニット１３用の引出し孔２ｂと収容部１４の前面開口部分とが連通することにより、収容部１４の前面開口部分が前面パネル２ａに開口する。したがって、収容部１４に収容された収納ユニット１３は、収容部１４の前面開口部分および引出し孔２ｂを介して前面パネル２ａの前方に突出可能に構成されている。
【００１４】
駆動機構１５は、収容位置（図２，３に示すように、収納ユニット１３が収容部１４に完全に収容された位置）から突出位置（図５，６に示すように、収納ユニット１３の前部が前面パネル２ａから突出する位置）に収納ユニット１３をスライドさせる機能を備えている。本実施の形態では、駆動機構１５は、一例として、収容部１４の奥壁と収納ユニット１３の奥壁との間の空隙に配設されて、収納ユニット１３を突出位置に向けて常時付勢する付勢手段（板バネやコイルスプリング等のバネ部材）によって構成されている。なお、収納ユニット１３と収容部１４との間には抜け止め機構（図示せず）が配設されているため、収納ユニット１３は、駆動機構１５によって突出位置方向に駆動された際における突出位置を越えての移動が阻止される。
【００１５】
突出規制機構１６は、図２に示すように、開閉扉２０およびラッチ部２１を備えている。この場合、開閉扉２０は、内扉２０ａ、および内扉２０ａの外面にボス２０ｂを介して取り付けられた外扉２０ｃを備え、内扉２０ａが収納ユニット１３に軸Ｗを中心に回動自在に取り付けられることにより、全体としても軸Ｗを中心に回動自在に構成されている。また、開閉扉２０は、例えば、軸Ｗに取り付けられたねじりコイルバネ（図示せず）によって常時開放する方向に付勢されている。
【００１６】
ラッチ部２１は、開閉扉２０における内扉２０ａの自由端側に配設された一対のフック片２２，２２と、収容部１４の内部側面に配設されたリンク部２３と、制御信号Ｓｃが入力されているときに作動してリンク部２３を作動させるソレノイド２４とを備えて構成されている。具体的には、リンク部２３は、一例として、開閉扉２０の自由端側が当接する収容部１４の側壁内面において上下方向に並設されると共にそれぞれの中央部分が水平軸Ｘを中心に回動自在に収容部１４の側壁内面に取り付けられた一対の作動板２３ａ，２３ａと、一対の作動板２３ａ，２３ａのそれぞれの奥側端部に回動自在に連結されると共に作動したソレノイド２４によって後述する第２付勢手段の付勢力に抗して上方に駆動される駆動板２３ｂと、一対の作動板２３ａ，２３ａがほぼ水平状態を維持するように駆動板２３ｂを常時付勢する第２付勢手段（板バネやコイルスプリング等のバネ部材）２３ｃと、一対の作動板２３ａ，２３ａの開閉扉２０側（図２中の右側）の各端部にそれぞれ突設された円柱状の係止突起２３ｄ，２３ｄとを備えて構成されている。
【００１７】
以上の構成により、リンク部２３は、収納ユニット１３が収容位置に位置している状態で開閉扉２０が閉じられたときには、一対の作動板２３ａ，２３ａに形成された各係止突起２３ｄ，２３ｄが開閉扉２０における自由端側の各フック片２２，２２にそれぞれ係止することにより、開閉扉２０を閉塞状態（開閉扉２０を施錠状態）に維持する。このため、収納ユニット１３は、開閉扉２０が引出し孔２ｂを閉塞した状態において、開閉扉２０およびラッチ部２１のリンク部２３を介して収容部１４に連結される。したがって、突出規制機構１６は、この収容位置において収納ユニット１３の突出位置方向への移動を規制して、引出し孔２ｂからの収納ユニット１３の突出を規制する。一方、リンク部２３では、開閉扉２０を閉塞状態に維持している状態でソレノイド２４が作動したときには、駆動板２３ｂの上方への移動に伴い一対の作動板２３ａ，２３ａが回動して各係止突起２３ｄ，２３ｄが下方に移動することにより、各係止突起２３ｄ，２３ｄと各フック片２２，２２との係合状態が解除される。これにより、開閉扉２０が開放されると共に、収納ユニット１３と収容部１４との連結状態が解除される。この際には、収納ユニット１３が突出位置に向けて移動可能な状態となる。
【００１８】
制御部１７は、解除信号Ｓｒｅを受信したときに、パルス状の制御信号Ｓｃを突出規制機構１６のソレノイド２４に出力する。また、制御部１７は、処理部１２によって出力された判別データＤｄに基づいて供給指令Ｓｓｐを生成して、対応するパチンコ機に出力する。
【００１９】
統括制御部３は、例えばホストコンピュータによって構成され、各玉貸出機２，２，・・・と通信回線を介して接続されている。また、統括制御部３は、統括制御部３に接続されたキーボード等の入力装置に対して解除操作が行われたときには、解除信号Ｓｒｅを生成すると共に、この解除信号Ｓｒｅを通信回線を介して各玉貸出機２，２，・・・に送信する。
【００２０】
次に、玉貸出機システム１の動作について、紙幣ＣＲの回収手順と併せて説明する。
【００２１】
各玉貸出機２，２，・・・の収納ユニット１３に収納された紙幣ＣＲを回収する際には、まず、閉店時などにおいて、入力装置を使用して統括制御部３に対して解除操作を実行する。これにより、統括制御部３は、通信回線を介して各玉貸出機２，２，・・・に対して解除信号Ｓｒｅを送信する。一方、各玉貸出機２，２，・・・では、制御部１７が、解除信号Ｓｒｅを受信し、その際に、制御信号Ｓｃを生成して突出規制機構１６に出力する。突出規制機構１６では、ソレノイド２４が、制御信号Ｓｃに基づいて作動して、図４に示すように、第２付勢手段２３ｃの付勢力に抗して駆動板２３ｂを上方に駆動する。この駆動板２３ｂが上動した際には、一対の作動板２３ａ，２３ａが時計方向に回動して、その各端部に形成された係止突起２３ｄ，２３ｄが下方に移動する。このため、各係止突起２３ｄ，２３ｄが各フック片２２，２２からそれぞれ離反する結果、フック片２２，２２と係止突起２３ｄ，２３ｄとの係合状態が解除される（開閉扉２０が解錠される）。
【００２２】
この場合、開閉扉２０が、軸Ｗに取り付けられたねじりコイルバネによって常時開放する方向に付勢され、かつ、収納ユニット１３が、駆動機構１５によって突出位置に向けて常時付勢されている。したがって、フック片２２，２２と係止突起２３ｄ，２３ｄとの係合状態の解除と同時に、図５，６に示すように、開閉扉２０が開放されると共に、収納ユニット１３が突出位置方向に向けて移動して突出位置で停止する。このようにして、すべての玉貸出機２，２，・・・において、開閉扉２０が自動的に開いて、かつ収納ユニット１３が突出位置に移動する。次いで、店員が、店内を巡回して、前面パネル２ａから突出している各収納ユニット１３内の紙幣ＣＲを回収する。この場合、開閉扉２０が開放されて、かつ収納ユニット１３が突出しているため、紙幣ＣＲを摘んで取り出すだけで極めて容易に紙幣ＣＲを回収することができる。
【００２３】
一方、突出規制機構１６では、その後に、制御信号Ｓｃの出力が停止されてソレノイド２４が作動を停止する。このため、第２付勢手段２３ｃの付勢力によって駆動板２３ｂが下方に移動して図２に示す位置に復帰し、一対の作動板２３ａ，２３ａも回動してほぼ水平な位置（図２に示す位置）に復帰する。これにより、係止突起２３ｄ，２３ｄは、フック片２２，２２と係合可能な位置に再度復帰する。したがって、玉貸出機２の紙幣ＣＲの回収を終了した際には、店員が、開閉扉２０を手で掴んで閉め、この状態で収納ユニット１３を駆動機構１５の付勢力に抗して収容部１４内に挿入する。この場合、収納ユニット１３が収容位置に達した時点で、一対の作動板２３ａ，２３ａの係止突起２３ｄ，２３ｄと開閉扉２０のフック片２２，２２とがそれぞれ係合する。このため、開閉扉２０は、ラッチ部２１により、挿入口１４ａを閉塞した状態（施錠状態）に維持される。また、収納ユニット１３は、開閉扉２０およびリンク部２３を介して収容部１４に連結された状態となるため、突出位置方向への移動が規制される。
【００２４】
このように、この玉貸出機システム１によれば、統括制御部３に対して解除操作を一回実施するだけで、各玉貸出機２，２，・・・では、開閉扉２０に対する解錠動作のみならず、収容部１４に収容されていた収納ユニット１３を前面パネル２ａから突出させる突出動作が自動的に行われる。このため、紙幣ＣＲを各玉貸出機２，２，・・・から回収する際に、従来の貸出機５１とは異なり、鍵を用いて解錠し、かつ引出し用把手５５ａを掴んで収納ユニットを引き出す作業を省くことができる。したがって、収納ユニット１３から紙幣ＣＲを回収するまでの煩雑な手間を省くことができるため、紙幣ＣＲの回収作業に要する時間を格段に短縮することができる。また、鍵を使用した解錠作業も不要のため、解錠および施錠を繰り返すことに起因して指が痛くなるという不具合も解消することができる。また、開閉扉２０が、収納ユニット１３に回動自在に取り付けられて、収納ユニット１３の開口する前面部分を閉塞しつつ収納ユニット１３を収容部１４内に挿入したときに、収容部１４内のラッチ部２１と係合する。このため、一方の手で開閉扉２０を開いた状態に維持しつつ他方の手で収納ユニット１３を挿入するという作業が必要となるため、開閉扉２０の閉塞と収納ユニット１３の収容部１４内への挿入とを片手で行うことができる。したがって、収納ユニット１３の収容作業および開閉扉２０の閉塞作業をワンタッチで行うことができるため、これらの作業を極めて容易に行うことができる。また、簡易な構成でありながら、収容位置での収納ユニット１３に対する移動規制と開閉扉２０の開放規制とを同時に行うことができる。
【００２５】
なお、本発明は、上記した発明の実施の形態に限らず、適宜変更が可能である。例えば、本発明の実施の形態では、開閉扉２０を収納ユニット１３に取り付る例を挙げて説明したが、開閉扉２０を前面パネル２ａに取り付ける構成を採用することもできる。また、本発明の実施の形態では、収容部１４は、上面および前面が開口する箱体に形成した例を挙げて説明したが、収容部１４は、収納ユニット１３をスライド自在に支持できる構成であれば、例えばガイドレールなど箱体以外の構成で実現することができる。
【００２６】
また、例えば、本発明の実施の形態では、付勢手段を用いて駆動機構１５を構成すると共にソレノイド２４を用いて突出規制機構１６を構成する例を挙げて説明したが、付勢手段およびソレノイド２４に代えて電動モータをそれぞれ使用する構成を採用することもできる。この構成では、各玉貸出機２，２，・・・に対する紙幣ＣＲの回収作業を終了した後に、統括制御部３に対して施錠操作を行うことにより、統括制御部３に対して各玉貸出機２，２，・・・の制御部１７に施錠信号を送信させる。この際に、施錠信号を受信した制御部１７が、駆動機構および突出規制機構の各電動モータを作動させて自動的に収納ユニット１３を収容部１４内に収容させると共に開閉扉２０を閉塞させる。したがって、この構成であっても、収納ユニット１３の収容部１４内への収容および突出と、開閉扉２０の開閉とを自動的に行うことができるため、紙幣ＣＲを極めて容易に回収することができる。また、このように電動モータを使用して駆動機構を構成した場合、電動モータの回転力を開閉扉２０や収納ユニット１３に伝達する伝達機構部分に例えばボールねじ等を使用することにより、電動モータの停止時における開閉扉２０や収納ユニット１３の移動をこの伝達機構部分によって規制することもできる。この場合、駆動機構が突出規制機構を兼ねて構成される。
【００２７】
また、本発明の実施の形態では、パチンコ機に並設される玉貸出機２を複数備えた玉貸出システム１を例に挙げて説明したが、本発明に係る貸出機および貸出機システムは、スロットル機（パチスロ機）用メダル貸出機などの各種遊技機用の貸出機およびその貸出機システムに適用することができる。また、複数の貸出機の解錠については、いわゆる島を単位として自動解錠を行うことができるのは勿論である。さらに、紙幣ＣＲに代えてカードを収納し、かつ収納したカードを回収可能に構成したカード用の貸出機およびその貸出機貸出機システムに適用できるのも勿論である。
【００２８】
【発明の効果】
以上のように、本発明に係る貸出機によれば、収納ユニットを支持する支持部と、貸出機内部の収納ユニットを開口部から突出させる駆動機構と、収納ユニットの突出を規制する突出規制機構と、解除信号を受信したときに突出規制機構による突出規制を解除して収納ユニットを開口部から突出させる制御部とを備えて構成したことにより、例えば、解除操作に基づいて解除信号を貸出機に送信する統括制御部を設け、この統括制御部に対して一回の解錠操作を実施するだけで、複数の貸出機における各開閉扉の解錠のみならず、各収納ユニットを前面パネルから前方に突出させることができる。このため、紙幣等を各貸出機から回収する際に、従来の貸出機とは異なり、鍵を用いた解錠作業や、引出し用把手を掴んで収納ユニットを引き出す作業を省くことができるため、紙幣等を回収するまでの煩雑な手間を省ける結果、紙幣等の回収作業に要する時間を格段に短縮することができる。また、鍵を使用した解錠作業および施錠作業を不要にできるため、解錠および施錠を繰り返し回すことに起因して指が痛くなるという不具合も解消することができる。
【００２９】
また、本発明に係る貸出機によれば、前面パネルの開口部分を閉塞可能な開閉扉と、閉塞状態の開閉扉における自由端側を係止することによって収納ユニットの突出を阻止するラッチ部とを備えて突出規制機構を構成し、この突出規制機構が制御信号を入力したときにラッチ部による開閉扉に対する係止を解除することにより、簡易な構成でありながら、収容位置での収納ユニットに対する移動規制と開閉扉の開放規制とを同時に解除することができる。また、開閉扉の閉塞と収納ユニットの突出阻止とを片手で行うことができるため、収納ユニットの収容作業（突出阻止作業）および開閉扉の閉塞作業をワンタッチで行うことができる結果、これらの作業を極めて容易に行うことができる。また、収納ユニットの移動規制と開閉扉の開放規制とを別々の機構で構成するのと比較して、その構成を簡略化することができるため、部品点数の削減と共に組立て工数の削減を達成できる結果、製品コストを低減することができる。
【００３０】
さらに、本発明に係る貸出機によれば、前面パネルから突出する方向に収納ユニットを常時付勢する付勢手段で駆動機構を構成したことにより、駆動機構を簡略化して構成することができるため、組立て工数および製品コストを共に一層低減することができる。
【００３１】
また、本発明に係る貸出機システムによれば、解除操作に基づいて解除信号を貸出機に送信する統括制御部を設け、収納ユニットを支持する支持部と、貸出機内部の収納ユニットを開口部から突出させる駆動機構と、収納ユニットの突出を規制する突出規制機構と、統括制御部によって送信された解除信号を受信したときに突出規制機構による突出規制を解除して収納ユニットを開口部から突出させる制御部とを備えて各貸出機を構成したことにより、統括制御部に対して一回の解錠操作を実施するだけで、各貸出機における開閉扉の解錠のみならず、収納ユニットを前面パネルから前方に突出させることができる。このため、請求項１記載の貸出機と同様にして、紙幣等の回収作業に要する時間を格段に短縮することができる。
【図面の簡単な説明】
【図１】本発明の実施の形態に係る玉貸出機システム１の構成を示すブロック図である。
【図２】（ａ）は玉貸出機２の構成を示す側面図であり（収納ユニット１３が収容位置に位置している状態）、（ｂ）はその正面図である。
【図３】図２におけるＡ−Ａ断面図である。
【図４】ソレノイド２４が作動してフック片２２，２２と係止突起２３ｄ，２３ｄとの係合状態が解除された状態を示す側面図である。
【図５】玉貸出機２の構成を示す側面図である（収納ユニット１３が突出位置に位置している状態）。
【図６】図５におけるＢ−Ｂ断面図である。
【図７】（ａ）は従来の貸出機５１の構成を示す要部側面図であり、（ｂ）はその正面図である。
【図８】貸出機５１の開閉扉５８を開放した状態の要部正面図である。
【符号の説明】
１  玉貸出機システム
２  玉貸出機
２ａ  前面パネル
３  統括制御部
１３  収納ユニット
１４  収容部
１５  駆動機構
１６  突出規制機構
１７  制御部
２１  ラッチ部
ＣＲ  紙幣
Ｓｒｅ  解除信号
【図１】
0004480122.tif 000002
【図２】
0004480122.tif 000003
【図３】
0004480122.tif 000004
【図４】
0004480122.tif 000005
【図５】
0004480122.tif 000006
【図６】
0004480122.tif 000007
【図７】
0004480122.tif 000008
【図８】
0004480122.tif 000009